(57)【要約】    【課題】  平衡−不平衡変換機能を有し、不平衡端子のインピーダンスと平衡端子のインピーダンスとの比が大きくされている弾性波フィルタ装置を得る。    【解決手段】  圧電基板上に、縦結合共振子型の第１，第２の弾性表面波フィルタ部６，７が形成されており、弾性表面波フィルタ６，７が、それぞれ、表面波伝搬方向に配置された第１〜第３のＩＤＴ１１〜１３及び第４〜第６のＩＤＴ１４〜１６を有し、第２，第５のＩＤＴ１２，１５が不平衡端子３に接続されており、第１，第３のＩＤＴ１１，１３が電気的に直列に接続されており、かつ第１の平衡端子４に接続されており、第４，第６のＩＤＴ１４，１６が電気的に直列に接続されており、かつ第２の平衡端子５に接続されている、弾性波フィルタ装置。【選択図】      図１
2006237727.tif 000002
【特許請求の範囲】
【請求項１】
不平衡端子と、第１，第２の平衡端子とを有するバランス型弾性波フィルタ装置であって、
圧電基板と、
前記圧電基板に形成されており、３ＩＤＴ型の縦結合共振子型の第１，第２の弾性波フィルタ部とを備え、
前記第１の弾性波フィルタ部が、弾性波伝搬方向に沿って配置された第１〜第３のＩＤＴを有し、第２の弾性波フィルタ部が、弾性波伝搬方向に沿って配置された第４〜第６のＩＤＴを有し、
第１の弾性波フィルタ部における入力信号に対する出力信号の位相差と、第２の弾性波フィルタ部における入力信号に対する出力信号の位相差とが１８０°異なるように第１〜第６のＩＤＴが構成されており、
前記第２，第５のＩＤＴが前記不平衡端子に接続されており、
前記第１の弾性波フィルタ部の第１，第３のＩＤＴが電気的に直列接続されており、かつ第１の平衡端子に接続されており、
前記第２の弾性波フィルタ部の第４，第６のＩＤＴが電気的に直列接続されており、かつ第２の平衡端子に接続されていることを特徴とする、バランス型弾性波フィルタ装置。
【請求項２】
前記不平衡端子に接続されている第２，第５のＩＤＴの最外側電極指がアース電位に接続される電極指である、請求項１に記載のバランス型弾性波フィルタ装置。
【請求項３】
前記第１，第３，第４，第６のＩＤＴのうちの少なくとも１つのＩＤＴにおいて、前記第２または第５のＩＤＴの前記最外側電極指に隣接している最外側電極指を含む複数本の電極指において直列重み付けが施されていることを特徴とする、請求項２に記載のバランス型弾性波フィルタ装置。
【請求項４】
前記弾性波として弾性表面波が用いられており、それによって弾性表面波フィルタ装置が構成されている、請求項１〜３のいずれか１項に記載のバランス型弾性波フィルタ装置。
【請求項５】
前記弾性波として弾性境界波が用いられており、それによって弾性境界波フィルタ装置が構成されている、請求項１〜３のいずれか１項に記載のバランス型弾性波フィルタ装置。
【発明の詳細な説明】
【技術分野】
【０００１】
本発明は、平衡−不平衡変換機能を有するバランス型弾性波フィルタ装置に関し、より詳細には、３ＩＤＴ型の縦結合共振子型の第１，第２の弾性波フィルタ部を備えたバランス型弾性波フィルタ装置に関する。
【背景技術】
【０００２】
弾性表面波フィルタは、移動体通信機器において、アンテナと差動アンプとの間に帯域フィルタとして接続されることが多い。この場合、アンテナは不平衡信号を入出力する。他方、差動アンプは平衡信号を入出力する。従って、アンテナと差動アンプとの間において、不平衡−平衡変換機能を有する部品を挿入する必要がある。平衡−不平衡変換機能を有する弾性表面波フィルタを上記帯域フィルタとして用いた場合には、平衡−不平衡変換機能を実現する部品、すなわちバランを省略することができる。従って、従来、平衡−不平衡変換機能を有するバランス型弾性表面波フィルタが種々提案されている。
【０００３】
もっとも、アンテナの特性インピーダンスは通常５０Ωであり、差動アンプの特性インピーダンスは１００Ω以上であり、１０００Ω程度であることも珍しくない。従って、平衡−不平衡変換機能を有する弾性表面波フィルタでは、インピーダンス変換機能をも併せ持つことが求められている。
【０００４】
下記の特許文献１には、このようなインピーダンス変換機能を有するバランス型弾性表面波フィルタ装置が開示されている。
【０００５】
図５は、特許文献１に記載のバランス型弾性表面波フィルタ装置の電極構造を示す模式的平面図である。弾性表面波フィルタ装置１０１は、不平衡端子１０２と、第１，第２の平衡端子１０３，１０４とを有する。不平衡端子１０２に、第１，第２の縦結合共振子型弾性表面波フィルタ１０５，１０６が接続されている。弾性表面波フィルタ１０５，１０６は、それぞれ、第１〜第３のＩＤＴ１０５ａ〜１０５ｃ，１０６ａ〜１０６ｃを有する３ＩＤＴ型の縦結合共振子型弾性表面波フィルタである。ＩＤＴ１０５ａ〜１０５ｃ，１０６ａ〜１０６ｃの表面波伝搬方向両側には、それぞれ、反射器１０５ｄ，１０５ｅ，１０６ｄ，１０６ｅが配置されている。
【０００６】
中央の第２のＩＤＴ１０５ｂ，１０６ｂが、共通接続され、不平衡端子１０２に接続されている。弾性表面波フィルタ１０５の両側のＩＤＴ１０５ａ，１０５ｃが共通接続され、第１の平衡端子１０３に接続されている。また、弾性表面波フィルタ１０６の第１，第３のＩＤＴ１０６ａ，１０６ｃが共通接続されて第２の平衡端子１０４に接続されている。第１，第２の弾性表面波フィルタ１０５，１０６の位相は１８０°異ならされている。
【０００７】
特許文献１に記載の弾性表面波フィルタ装置１０１では、第１，第２の縦結合共振子型弾性表面波フィルタ１０５，１０６の表面波伝搬路が同じ方向に配置されており、かつ第１，第２の弾性表面波フィルタ１０５，１０６間の間隔をｄ1、使用されている圧電基板の厚みをｔとしたときに、ｄ1≦２．３×ｔまたはｄ1≧２．８×ｔとされており、それによって伝送特性が改善され得ると記載されている。
【０００８】
また、弾性表面波フィルタ装置１０１では、弾性表面波フィルタ１０５，１０６の入力インピーダンスをＺとしたとき、不平衡端子１０２におけるインピーダンスは、弾性表面波フィルタ１０５，１０６の入力インピーダンスを並列接続したインピーダンスとなるため、約Ｚ／２となる。平衡端子１０３，１０４におけるインピーダンスは、弾性表面波フィルタ１０５，１０６のインピーダンスを直列接続したインピーダンスであるため、約２Ｚとなる。従って、不平衡端子１０２におけるインピーダンスと、平衡端子１０３，１０４におけるインピーダンスとの比は約１：４とされ得る。
【特許文献１】特開２００２−２９０２０３号公報
【発明の開示】
【発明が解決しようとする課題】
【０００９】
上記のように、特許文献１に記載の弾性表面波フィルタ装置では、不平衡端子１０２側のインピーダンスと、平衡端子１０３，１０４側のインピーダンスとの比を約１：４とすることが可能とされている。
【００１０】
従って、例えばアンテナの入出力インピーダンスが５０Ωであり、弾性表面波フィルタ装置の後段に接続される差動アンプの特性インピーダンスが２００Ω程度である場合には、上記バランス型弾性表面波フィルタ装置１０１を好適に用いることができる。
【００１１】
しかしながら、近年、この種の用途で用いられる差動アンプの特性インピーダンスは２００Ωよりも大きくなってきており、前述したように、１０００Ω程度であることも珍しくない。
【００１２】
従って、特許文献１に記載のバランス型弾性表面波フィルタ装置１０１を用いたとしても、このような大きな特性インピーダンスを有する差動アンプが後段に接続される場合、インピーダンスを変換する部品をさらに接続しなければならなかった。すなわち、特許文献１に記載のバランス型弾性表面波フィルタ装置では、インピーダンス変換機能が十分でなく、従って入出力インピーダンス比をより一層大きくすることが可能なバランス型弾性表面波フィルタ装置が求められている。
【００１３】
他方、近年、弾性表面波フィルタだけでなく、弾性境界波などの他の弾性波を利用した弾性波フィルタ装置も知られている。弾性境界波フィルタは圧電基板と誘電体とが積層された境界にＩＤＴを有しており、境界を伝搬する弾性境界波を用いる。弾性表面波フィルタとまったく同じような電極を形成して弾性境界波フィルタを構成できる。このような弾性波フィルタ装置一般においても、上記のように平衡−不平衡変換機能と、大きなインピーダンス変換機能とを有することが求められている。
【００１４】
本発明の目的は、上述した従来技術の現状に鑑み、平衡−不平衡変換機能を有するだけでなく、不平衡端子側のインピーダンスと平衡端子側のインピーダンスとの比がより一層大きくされたインピーダンス変換機能を有する弾性波フィルタ装置を提供することにある。
【課題を解決するための手段】
【００１５】
本発明は、不平衡端子と、第１，第２の平衡端子とを有するバランス型弾性波フィルタ装置であって、圧電基板と、前記圧電基板に形成されており、３ＩＤＴ型の縦結合共振子型の第１，第２の弾性波フィルタ部とを備え、前記第１の弾性波フィルタ部が、弾性波伝搬方向に沿って配置された第１〜第３のＩＤＴを有し、第２の弾性波フィルタ部が、弾性波伝搬方向に沿って配置された第４〜第６のＩＤＴを有し、第１の弾性波フィルタ部における入力信号に対する出力信号の位相差と、第２の弾性波フィルタ部における入力信号に対する出力信号の位相差とが１８０°異なるように第１〜第６のＩＤＴが構成されており、前記第２，第５のＩＤＴが前記不平衡端子に接続されており、前記第１の弾性波フィルタ部の第１，第３のＩＤＴが電気的に直列接続されており、かつ第１の平衡端子に接続されており、前記第２の弾性波フィルタ部の第４，第６のＩＤＴが電気的に直列接続されており、かつ第２の平衡端子に接続されていることを特徴とする。
【００１６】
本発明に係るバランス型弾性波フィルタ装置のある特定の局面では、前記不平衡端子に接続されている第２，第５のＩＤＴの最外側電極指がアース電位に接続される電極指である。
【００１７】
本発明に係るバランス型弾性波フィルタ装置の他の特定の局面では、前記第１，第３，第４，第６のＩＤＴのうちの少なくとも１つのＩＤＴにおいて、前記第２または第５のＩＤＴの前記最外側電極指に隣接している最外側電極指を含む複数本の電極指において直列重み付けが施されている。
【００１８】
本発明に係るバランス型弾性波フィルタ装置のさらに他の特定の局面では、前記弾性波として弾性表面波が用いられており、それによって弾性表面波フィルタ装置が構成されている。
【００１９】
本発明に係るバランス型弾性波フィルタ装置の別の特定の局面では、前記弾性波として弾性境界波が用いられており、それによって弾性境界波フィルタ装置が構成されている。
【発明の効果】
【００２０】
本発明に係るバランス型弾性波フィルタ装置は、縦結合共振子型の第１，第２の弾性波フィルタ部を備えており、第１の弾性波フィルタ部における入力信号に対する出力信号の位相差と、第１の弾性波フィルタ部における入力信号に対する出力信号の位相差が１８０°異なるように第１〜第６のＩＤＴが構成されている。また、第２，第５のＩＤＴが不平衡端子に接続されており、第１の弾性波フィルタ部の第１，第３のＩＤＴが第１の平衡端子に、第２の弾性波フィルタ部の第４，第６のＩＤＴが第２の平衡端子に接続されているため、平衡−不平衡変換機能を有するバランス型弾性波フィルタ装置を提供することができる。
【００２１】
また、本発明では、第１，第３のＩＤＴが電気的に直列に接続されており、第４，第６のＩＤＴも電気的に直列に接続されている。従って、不平衡端子側のインピーダンスと平衡端子側のインピーダンスとの比が約１：１６とされ得る。
【００２２】
すなわち、第１，第２の弾性波フィルタ部を不平衡端子に並列に接続し、第１の弾性波フィルタ部を第１の平衡端子に、第２の弾性波フィルタ部を第２の平衡端子に接続した構成では、不平衡端子側のインピーダンスと平衡端子側のインピーダンスとの比は約１：４とされる。加えて、本発明では、第１，第３のＩＤＴが電気的に直列に接続されており、第４，第６のＩＤＴも電気的に直列に接続されている。従って、平衡端子側のインピーダンスを、特許文献１に記載の弾性表面波フィルタの場合に比べて４倍の大きさとすることができる。よって、本発明によれば、不平衡端子側のインピーダンスと、平衡端子側のインピーダンスとの比を約１：１６とすることができる。
【００２３】
従って、本発明によれば、平衡−不平衡変換機能を有し、かつ大きなインピーダンス変換機能を有する弾性波フィルタ装置を提供することができる。
【００２４】
本発明において、不平衡端子に接続されている第２，第５のＩＤＴの最外側電極指がアース電位に接続されている場合には、第２，第５のＩＤＴと、第１，第３または第４，第６のＩＤＴと隣り合っている部分において、信号端子に接続される電極指同士が隣り合わない。すなわち、平衡信号が印加される電極指と、不平衡信号が印加される電極指とが隣り合うことがないため、帯域外減衰量の拡大及び平衡度の向上を図ることができる。
【００２５】
第１，第３，第４，第６のＩＤＴにおいて、第２，第５のＩＤＴの上記最外側電極指に隣接している最外側電極指を含む複数本の電極指において直列重み付けが施されている場合には、平衡度をより一層高めることができる。
【発明を実施するための最良の形態】
【００２６】
以下、図面を参照しつつ、本発明の具体的な実施形態を説明することにより、本発明を明らかにする。
【００２７】
図１は、本発明の一実施形態に係る弾性表面波フィルタ装置の模式的平面図である。本実施形態では、弾性波フィルタ装置として、３ＩＤＴ型の縦結合共振子型の第１，第２の弾性表面波フィルタ部を有する弾性表面波フィルタ装置が構成されている。
【００２８】
弾性表面波フィルタ装置１は、圧電基板２を有する。圧電基板２は、ＬｉＴａＯ3、ＬｉＮｂＯ3または水晶などの圧電単結晶、あるいは圧電セラミックスからなる。また、圧電基板２は、圧電材料からなる基板または絶縁基板上に圧電薄膜を形成した構造を有していてもよい。
【００２９】
本実施形態の弾性表面波フィルタ装置１は、平衡−不平衡変換機能を有するバランス型弾性表面波フィルタ装置であり、不平衡端子３と、第１，第２の平衡端子４，５とを有する。
【００３０】
圧電基板２上に、３ＩＤＴ型の縦結合共振子型の第１，第２の弾性表面波フィルタ部６，７が構成されている。
【００３１】
第１の弾性表面波フィルタ部６では、弾性表面波伝搬方向に沿って第１〜第３のＩＤＴ１１〜１３が配置されている。また、第２の弾性表面波フィルタ部７においても、弾性表面波伝搬方向に沿って第４〜第６のＩＤＴ１４〜１６が配置されている。
【００３２】
第１の弾性表面波フィルタ部６において、第１〜第３のＩＤＴ１１〜１３が設けられている領域の表面波伝搬方向両側には反射器１７ａ，１７ｂが配置されている。また、第２の弾性表面波フィルタ部７においては、第４〜第６のＩＤＴ１４〜１６が設けられている領域の表面波伝搬方向両側には反射器１８ａ，１８ｂが配置されている。
【００３３】
第１の弾性表面波フィルタ部６の中央の第２のＩＤＴ１２の一端と、第２の弾性表面波フィルタ部７の中央の第５のＩＤＴ１５の一端とが共通接続され、かつ１ポート型の弾性表面波共振子８を介して不平衡端子３に接続されている。
【００３４】
なお、弾性表面波共振子８は、ＩＤＴ８ａと、ＩＤＴ８ａの表面波伝搬方向両側に配置された反射器８ｂ，８ｃとを有する。
【００３５】
なお、第２のＩＤＴ１２の他端及び第５のＩＤＴ１５の他端はアース電位に接続されている。ここでは、第２，第５のＩＤＴ１２，１５の表面波伝搬方向最外側電極指１２ａ，１２ｂ，１５ａ，１５ｂがアース電位に接続される電極指とされている。
【００３６】
第１の弾性表面波フィルタ部６の第１，第３のＩＤＴ１１，１３は一端同士が接続されて、電気的に直列に接続されている。ＩＤＴ１１の他端は、１ポート型の弾性表面波共振子９を介して第１の平衡端子４に接続されている。第３のＩＤＴ１３の他端はアース電位に接続されている。弾性表面波共振子９は、ＩＤＴ９ａと、ＩＤＴ９ａの表面波伝搬方向両側に配置された反射器９ｂ，９ｃとを有する。
【００３７】
なお、弾性表面波共振子８，９は、本発明において不可欠なものではない。
【００３８】
他方、第２の弾性表面波フィルタ部７の第４，第６のＩＤＴ１４，１６の一端同士が電気的に接続され、第４，第６のＩＤＴ１４，１６は電気的に直列に接続されている。ここでは、第４のＩＤＴ１４の他端がアース電位に接続されており、第６のＩＤＴ１６の他端が１ポート型の弾性表面波共振子１０を介して第２の平衡端子５に接続されている。弾性表面波共振子１０は、ＩＤＴ１０ａと、ＩＤＴ１０ａの表面波伝搬方向両側に配置された反射器１０ｂ，１０ｃとを有する。
【００３９】
ここでは、第１の弾性表面波フィルタ部６における入力信号に対する出力信号の位相差と、第２の弾性表面波フィルタ部７における入力信号に対する出力信号の位相差とが１８０°異なるように第１〜第６のＩＤＴ１１〜１６が構成されている。より具体的には、第１の平衡端子４に接続されているＩＤＴ１１の極性と、第２の平衡端子５に接続されている第６のＩＤＴ１６の極性とが１８０°異ならされており、それによって平衡−不平衡変換機能が実現されている。
【００４０】
また、本実施形態では、第１，第２の弾性表面波フィルタ部６，７の一端が不平衡端子３に、第１の弾性表面波フィルタ部６の他端が第１の平衡端子４に、第２の弾性表面波フィルタ部７の他端が第２の平衡端子５に接続されており、しかも第１，第３のＩＤＴ１１，１３及び第４，第６のＩＤＴ１４，１６が直列接続されているため、不平衡端子３側のインピーダンスと、平衡端子４，５側のインピーダンスとの比を約１：１６とすることができる。
【００４１】
すなわち、上記第１，第３のＩＤＴ１１，１３が直列接続されており、第４，第６のＩＤＴ１４，１６も電気的に直列接続されているため、該直列接続構造を有しない場合、すなわち第１，第３のＩＤＴ１１，１３を第１の平衡端子４に並列に接続し、かつ第４，第６のＩＤＴ１４，１６を第２の平衡端子５に並列に接続した構造の場合に比べて、第１，第３のＩＤＴ１１，１３及び第４，第６のＩＤＴ１４，１６の特性インピーダンスを４倍とすることができる。従って、本実施形態では、不平衡端子３側のインピーダンスと、第１，第２の平衡端子４，５側のインピーダンスの比を約１：１６と非常に大きくすることが可能とされている。
【００４２】
また、本実施形態では、第２，第５のＩＤＴ１２，１５の最外側電極指１２ａ，１２ｂ，１５ａ，１５ｂは、アース電位に接続される電極指とされている。よって、不平衡端子３に接続されている第２，第５のＩＤＴ１２，１５の不平衡端子３に接続されている電極指と、平衡端子４，５に接続されている第１，第３，第４，第６のＩＤＴ１１，１３，１４，１６の電極指とが直接ＩＤＴ間のギャップで隣り合っていない。従って、平衡信号が印加される電極指と、不平衡信号が印加される電極指がＩＤＴ間のギャップにおいて隣り合うことにはならない。
【００４３】
平衡信号が流れる電極指と、不平衡信号が流れる電極指とがＩＤＴ同士のギャップにおいて隣り合っている場合には、両者の間の電磁結合により直達波が生じ、帯域外減衰量が低下したり、平衡信号の平衡度が低下したりするおそれがある。これに対して、本実施形態では、上記のように、ＩＤＴ同士が隣り合っているギャップにおいて、平衡信号が印加される電極指と不平衡信号が印加される電極指とは隣り合わないため、帯域外減衰量の拡大及び平衡度の向上を図ることができる。
【００４４】
加えて、本実施形態では、第２の弾性表面波フィルタ部７の第４，第６のＩＤＴ１４，１６の第５のＩＤＴ１５側の最外側電極指を含む複数本の電極指において、直列重み付けが施されている。すなわち、第４のＩＤＴ１４の第５のＩＤＴ１５側の最外側電極指１４ａと、次に位置する電極指１４ｂとの間に浮き電極指１４ｃを設けるように直列重み付けが施されている。ＩＤＴ１６においても、最外側電極指１６ａと、次の電極指１６ｂとが配置されている領域に浮き電極指１６ｃが設けられて、直列重み付けが施されている。この直列重み付けにより、ＩＤＴ１４，１５間及びＩＤＴ１５，１６間における弾性表面波の励振を弱めて、弾性表面波フィルタ部６側におけるＩＤＴ１１，１２間及びＩＤＴ１２，１３間における弾性表面波の励振状態に近づけることができる。よって、平衡度をより効果的に改善することができる。
【００４５】
すなわち、第２の弾性表面波フィルタ部７では、第４，第５のＩＤＴ１４，１５が隣り合っている部分において、第４のＩＤＴの最外側電極指１４ａは平衡信号が印加される電極指であり、ＩＤＴ１５のＩＤＴ１４側の最外側電極指１５ａはアース電位に接続される電極指であるため、ＩＤＴ１４，１５が隣り合っている部分において弾性表面波が励振される。ＩＤＴ１５，１６間においても同様に、アース電位に接続される電極指１５ｂと、平衡信号が印加される電極指１６ａとが隣り合い、弾性表面波が励振される。
【００４６】
これに対して、第１の弾性表面波フィルタ部６側においては、ＩＤＴ１２，１３間においては、最外側電極指１２ｂ及び１３ａがいずれもアース電位に接続される電極指であるため、ＩＤＴ１２，１３間においては、弾性表面波は励振されない。他方、ＩＤＴ１１，１２間においては、ＩＤＴ１１の最外側電極指１１ａに平衡信号が印加され、電極指１２ａはアース電位に接続されるため、弾性表面波は励振される。
【００４７】
しかしながら、本実施形態では、上記のように、第４，第５のＩＤＴ１４，１５間及び第５，第６のＩＤＴ１５，１６間において、弾性表面波の励振が弱められるため、第２の弾性表面波フィルタ部７側におけるＩＤＴ間のギャップにおける弾性表面波の励振状態が、第１の弾性表面波フィルタ部６における第１，第２のＩＤＴ１１，１２間及び第２，第３のＩＤＴ１２，１３間のギャップにおける弾性表面波の励振状態の総和に近づけられる。従って、上記のように平衡度が改善される。
【００４８】
なお、第１の弾性表面波フィルタ部６と、第２の弾性表面波フィルタ部７とにおけるＩＤＴ間のギャップにおける弾性表面波の励振状態をバランスさせる構成は、図１に示した実施形態の弾性表面波フィルタ装置１の構造に限定されるものではない。
【００４９】
図２に示す変形例の弾性表面波フィルタ装置２１では、第１の弾性表面波フィルタ部６においても、第１，第２のＩＤＴ１１Ａ，１２間のギャップにおいて、ＩＤＴ１１Ａの最外側電極指１１ｄと、次の電極指１１ｅとの間にまたがるように浮き電極指１１ｆを設けるように、直列重み付けが施されている。従って、ＩＤＴ１１Ａ，１２間における弾性表面波の励振が弱められている。その他の構成は、弾性表面波フィルタ装置２１は、弾性表面波フィルタ装置１と同様である。
【００５０】
本変形例に係る弾性表面波フィルタ装置２１においても、第２の弾性表面波フィルタ部７側におけるＩＤＴ１４，１５間及びＩＤＴ１５，１６間における弾性表面波の励振が弱められ、第１の弾性表面波フィルタ部６側におけるＩＤＴ１１Ａ，１２間及びＩＤＴ１２，１３間のギャップにおける弾性表面波の励振状態に近づけられている。もっとも、本変形例では、第１，第２のＩＤＴ１１Ａ，１２間のギャップにおける弾性表面波の励振も弱められている。従って、第１の弾性表面波フィルタ部６と、第２の弾性表面波フィルタ部７との間のバランスは、上記実施形態の弾性表面波フィルタ装置１の方が高められるので、弾性表面波フィルタ装置１は弾性表面波フィルタ装置２１よりも好ましい。
【００５１】
なお、上記実施形態及び変形例の弾性表面波フィルタ装置１，２１では、上記のように直列重み付けを施することにより、平衡度の改善が図られていたが、本発明においては、図３に示す変形例の弾性表面波フィルタ装置２２に示すように、直列重み付けが施されておらずともよい。図３に示す弾性表面波フィルタ装置２２では、ＩＤＴ１４Ａ，１６Ａに直列重み付けが施されていないことを除いては、第１の実施形態の弾性表面波フィルタ装置１と同様に構成されている。このように、ＩＤＴに直列重み付けを施さない場合であっても、本発明に従って、不平衡端子３側のインピーダンスと平衡端子４，５側のインピーダンスとの比を１：１６と大きくすることができる。
【００５２】
上述してきた実施形態及び変形例の弾性表面波フィルタ装置は、上記のように弾性表面波を利用したものであるが、本発明は、弾性表面波に代えて、弾性境界波などの他の弾性波を用いたものであってもよい。図４は、弾性境界波フィルタ装置の構造を模式的に示す正面断面図である。この弾性境界波フィルタ装置３１では、第１の媒質層としての圧電基板３２と、第２の媒質層としての誘電体３３とが積層されている。圧電基板３２と誘電体３３との境界に複数のＩＤＴを有する電極３４が形成されている。この境界を伝搬する弾性境界波を利用してフィルタとしての特性が得られる。この場合、弾性境界波フィルタ装置３１の電極３４の構造を、前述した弾性表面波フィルタについての実施形態における電極構造と同様に形成することにより、本発明の弾性波フィルタ装置を構成することができる。
【図面の簡単な説明】
【００５３】
【図１】本発明の一実施形態に係る弾性表面波フィルタ装置の模式的平面図。
【図２】図１に示した実施形態の変形例に係る弾性表面波フィルタ装置の電極構造を示す模式的平面図。
【図３】図１に示した実施形態の他の変形例に係る弾性表面波フィルタ装置の電極構造を示す模式的平面図。
【図４】本発明が適用される弾性境界波装置の模式的正面断面図。
【図５】従来のバランス型弾性表面波フィルタ装置を説明するための模式的平面図。
【符号の説明】
【００５４】
１…弾性表面波フィルタ装置
２…圧電基板
３…不平衡端子
４，５…第１，第２の平衡端子
６，７…弾性表面波フィルタ部
８，９，１０…弾性表面波共振子
８ａ，９ａ…ＩＤＴ
８ｂ，８ｃ…反射器
９ｂ，９ｃ…反射器
１１〜１６…ＩＤＴ
１１ａ，１１ｄ，１１ｅ…電極指
１１ｆ…浮き電極指
１１Ａ，１４Ａ，１６Ａ…ＩＤＴ
１２ａ，１２ｂ…電極指
１４ａ，１４ｂ…電極指
１４ｃ…浮き電極指
１５ａ，１５ｂ…電極指
１６ａ，１６ｂ…電極指
１６ｃ…浮き電極指
２１…弾性表面波フィルタ装置
２２…弾性表面波フィルタ装置
３１…弾性境界波フィルタ装置
３２…圧電基板
３３…誘電体
３４…電極
【図１】
2006237727.tif 000003
【図２】
2006237727.tif 000004
【図３】
2006237727.tif 000005
【図４】
2006237727.tif 000006
【図５】
2006237727.tif 000007